(57)【特許請求の範囲】
【請求項１】
ロータリーディスクタンブラー錠の内筒を構成するキーガイド、仕切板Ｂ及びテールプラグの内少なくとも二つを選択してこれらを案内部材とし、これらの案内部材の相互に対向する面の夫々に、支軸を挟んで相互に平行に配設され、一端が鍵孔に連通する一対の案内溝を形成し、各案内溝に探りピンを長さ方向に移動可能に収納し、一方、上記選択された案内部材の間における仕切板の、支軸より外側の部分を切り欠いて断面蒲鉾形の空間を形成し、この空間内に、ロータリーディスクタンブラーの基端部を覆うようにして、薄い蒲鉾状の制御体を、その厚さ方向であるシリンダ錠の半径方向に移動可能に配設し、この制御体のシリンダ錠中心軸に対向する側の係止面に跨がられているロータリーディスクタンブラーの基端部の形状を、鍵孔に合鍵が挿入されていない常態において、上記支軸より外側の部分を切り欠いた仕切板の切欠線より外側に出ないように、かつ、支軸を時計盤面に換算して１２時の角度位置においたシリンダ錠の横断面において、制御体の係止面との接触部が左右にずれるように設定し、また、制御体の前端及び後端に突設された一対の連結突起の夫々を、案内溝の他端部に挿入するようにして探りピンに係合させ以て、合鍵を鍵孔に挿入したとき、２対の探りピンの移動により制御体を厚さ方向に平行移動させ、ロータリーディスクタンブラーの基端と制御体の係止面との間に隙間を生じさせて案内部材間のロータリーディスクタンブラーを自由にし、一方、合鍵を挿入せずに鍵孔内に露呈するロータリーディスクタンブラーをピッキング工具により鍵厚方向に移動させようとするとき、制御体の係止面との係合によりロータリーディスクタンブラーをロックし、ピッキングを不可能にしたことを特徴とするシリンダ錠のピッキング防止機構。
【請求項２】
レバータンブラー錠の内筒を構成するキーガイド、仕切板Ｂ及びテールプラグの内少なくとも二つを選択してこれらを案内部材とし、これらの案内部材の相互に対向する面の夫々に、支軸を挟んで相互に平行に配設され、一端が鍵孔に連通する一対の案内溝を形成し、各案内溝に探りピンを長さ方向に移動可能に収納し、一方、上記選択された案内部材の間における仕切板の、支軸より外側の部分を切り欠いて断面蒲鉾形の空間を形成し、この空間内に、レバータンブラーの基端部を覆うようにして、薄い蒲鉾状の制御体を、その厚さ方向であるシリンダ錠の半径方向に移動可能に配設し、この制御体のシリンダ錠中心軸に対向する側の係止面に跨がられているレバータンブラーの基端部の形状を、鍵孔に合鍵が挿入されていない常態において、上記支軸より外側の部分を切り欠いた仕切板の切欠線より外側に出ないように、かつ、支軸を時計盤面に換算して１２時の角度位置においたシリンダ錠の横断面において、制御体の係止面との接触部が左右にずれるように設定し、また、制御体の前端及び後端に突設された一対の連結突起の夫々を、案内溝の他端部に挿入するようにして探りピンに係合させ以て、合鍵を鍵孔に挿入したとき、２対の探りピンの移動により制御体を厚さ方向に平行移動させ、レバータンブラーの基端と制御体の係止面との間に隙間を生じさせて案内部材間のレバータンブラーを自由にし、一方、合鍵を挿入せずに鍵孔内に露呈するレバータンブラーをピッキング工具により鍵厚方向に移動させようとするとき、制御体の係止面との係合によりレバータンブラーをロックし、ピッキングを不可能にしたことを特徴とするシリンダ錠のピッキング防止機構。
【請求項３】
上記案内溝を、鍵孔に挿入される合鍵の厚さ方向に延在するように配設した請求項１及び２に記載のシリンダ錠のピッキング防止機構。
【請求項４】
上記制御体を、探りピンに近接する方向に付勢した請求項１乃至３の何れかに記載のシリンダ錠のピッキング防止機構。
【請求項５】
上記案内溝にストッパーを設け、鍵孔に合鍵を挿入しない常態において探りピンの長さ方向の位置を一定位置に規制するようにした請求項１乃至４の何れかに記載のシリンダ錠のピッキング防止機構。
【請求項６】
上記制御体の連結突起の横断面形状を矩形にした請求項１乃至５の何れかに記載のシリンダ錠のピッキング防止機構。
【発明の詳細な説明】
【０００１】
【発明の属する技術分野】
この発明は、シリンダ錠、最適の適用例としては本出願人が先に提案したロータリーディスクタンブラー錠、の内筒に設けるピッキング防止機構に関する。
【０００２】
【従来の技術】
本出願人は、先に、特願２００１−３１６８８５を以て、従来の所謂レバータンブラー錠（ロータリーディスクシリンダ錠）を改良した新規なロータリーディスクタンブラー錠を提案した。
【０００３】
このロータリーディスクタンブラー錠は、内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成した環状のロータリーディスクタンブラーを挿設し、その実体部の１ヵ所を、内筒を軸線方向に貫通する支軸に揺動可能に軸支すると共に、自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたことを特徴とするものである。
【０００４】
上記したロータリーディスクタンブラー錠の構成を更に要約すると、図１に示すように、中央部に鍵孔を包囲し得る大きさの鍵挿通孔１を形成した環状のロータリーディスクタンブラー２を支軸３に揺動可能に軸支すると共に、自由端部外側端縁に解錠切欠４を形成し、一方、鍵挿通孔１の開口端縁に、先端の移動軌跡が鍵孔５に挿入された合鍵６のブレードの平面部又は端縁部と干渉する係合突起７を一体に突設し、各ロータリーディスクタンブラー２をこの係合突起７が合鍵６に近接する方向に付勢すると共に、常態ではバックアップピン８に係止し、他方、これらのタンブラー群の係合突起の夫々が鍵孔５に挿通された合鍵６のブレードに形成された対応する窪み９と係合したとき、各ロータリーディスクタンブラーの解錠切欠４をロッキングバー１１の内側縁と整合させるものである。
【０００５】
【発明が解決しようとする課題】
この発明は、上記した構成の新規なロータリーディスクタンブラー錠を改良しようとするものではなく、これに新規なピッキング防止機構を付加することによりピッキングをより困難にし、錠前としてのロータリーディスクタンブラー錠の安全性を更に向上させることを目的としている。
【０００６】
【課題を解決するための手段】
上記の目的を達成するため、請求項１に記載の発明は、ロータリーディスクタンブラー錠の内筒を構成するキーガイド、仕切板Ｂ及びテールプラグの内少なくとも二つを選択してこれらを案内部材とし、これらの案内部材の相互に対向する面の夫々に、支軸を挟んで相互に平行に配設され、一端が鍵孔に連通する一対の案内溝を形成し、各案内溝に探りピンを長さ方向に移動可能に収納し、一方、上記選択された案内部材の間における仕切板の、支軸より外側の部分を切り欠いて断面蒲鉾形の空間を形成し、この空間内に、ロータリーディスクタンブラーの基端部を覆うようにして、薄い蒲鉾状の制御体を、その厚さ方向であるシリンダ錠の半径方向に移動可能に配設し、この制御体のシリンダ錠中心軸に対向する側の係止面に跨がられているロータリーディスクタンブラーの基端部の形状を、鍵孔に合鍵が挿入されていない常態において、上記支軸より外側の部分を切り欠いた仕切板の切欠線より外側に出ないように、かつ、支軸を時計盤面に換算して１２時の角度位置においたシリンダ錠の横断面において、制御体の係止面との接触部が左右にずれるように設定し、また、制御体の前端及び後端に突設された一対の連結突起の夫々を、案内溝の他端部に挿入するようにして探りピンに係合させ以て、合鍵を鍵孔に挿入したとき、２対の探りピンの移動により制御体を厚さ方向に平行移動させ、ロータリーディスクタンブラーの基端と制御体の係止面との間に隙間を生じさせて案内部材間のロータリーディスクタンブラーを自由にし、一方、合鍵を挿入せずに鍵孔内に露呈するロータリーディスクタンブラーをピッキング工具により鍵厚方向に移動させようとするとき、制御体の係止面との係合によりロータリーディスクタンブラーをロックし、ピッキングを不可能にしたことを特徴とする。
【０００７】
また、請求項２に記載の発明は、レバータンブラー錠の内筒を構成するキーガイド、仕切板Ｂ及びテールプラグの内少なくとも二つを選択してこれらを案内部材とし、これらの案内部材の相互に対向する面の夫々に、支軸を挟んで相互に平行に配設され、一端が鍵孔に連通する一対の案内溝を形成し、各案内溝に探りピンを長さ方向に移動可能に収納し、一方、上記選択された案内部材の間における仕切板の、支軸より外側の部分を切り欠いて断面蒲鉾形の空間を形成し、この空間内に、レバータンブラーの基端部を覆うようにして、薄い蒲鉾状の制御体を、その厚さ方向であるシリンダ錠の半径方向に移動可能に配設し、この制御体のシリンダ錠中心軸に対向する側の係止面に跨がられているレバータンブラーの基端部の形状を、鍵孔に合鍵が挿入されていない常態において、上記支軸より外側の部分を切り欠いた仕切板の切欠線より外側に出ないように、かつ、支軸を時計盤面に換算して１２時の角度位置においたシリンダ錠の横断面において、制御体の係止面との接触部が左右にずれるように設定し、また、制御体の前端及び後端に突設された一対の連結突起の夫々を、案内溝の他端部に挿入するようにして探りピンに係合させ以て、合鍵を鍵孔に挿入したとき、２対の探りピンの移動により制御体を厚さ方向に平行移動させ、レバータンブラーの基端と制御体の係止面との間に隙間を生じさせて案内部材間のレバータンブラーを自由にし、一方、合鍵を挿入せずに鍵孔内に露呈するレバータンブラーをピッキング工具により鍵厚方向に移動させようとするとき、制御体の係止面との係合によりレバータンブラーをロックし、ピッキングを不可能にしたことを特徴とする。
【０００８】
更にまた、請求項３に記載の発明は、上記案内溝を、鍵孔に挿入される合鍵の厚さ方向に延在するように配設したことを特徴とする。
【０００９】
また、請求項４に記載の発明は、上記制御体を、探りピンに近接する方向に付勢したことを特徴とする。
【００１０】
加えて、請求項５に記載の発明は、上記案内溝にストッパーを設け、鍵孔に合鍵を挿入しない常態において探りピンの長さ方向の位置を一定位置に規制するようにしたことを特徴とする。
【００１１】
また、請求項６に記載の発明は、上記制御体の連結突起の横断面形状を矩形にしたことを特徴とする。
【００１２】
【実施例】
以下、この発明の実施例を図２乃至図６を参照して説明する。
図２及び図３において符号１２はシリンダ錠（図示の実施例ではロータリーディスクタンブラー錠）の外筒を、符号１３は内筒を夫々示し、シリンダ錠では、内筒１３は外筒１２に回動可能に嵌合している。
【００１３】
また、図２において符号１４はキーガイドを、符号１５はテールプラグを夫々示し、シリンダ錠の内筒１３は、キーガイド１４及びテールプラグ１５の間に複数の仕切板１６、１６を挿設し、これらをリテーナ１７、１７（図３参照）により相互に結合して構成される。
【００１４】
上記シリンダ錠の内筒の構造は従来周知であるから、更に詳細な発明は省略する。
【００１５】
なお、図２に示すように、内筒の前端部（図２で右端部）付近における仕切板は少し厚くなっていて、その図２における下端部には、前記ロッキングバー１１を外筒のカム溝１９（図３参照）に弾圧するためのロッキングバーばね２１が弾装されている。
【００１６】
なお、上記ロッキングバーばね２１を担持した厚い仕切板を、他の仕切板１６と区別するため、以下仕切板Ｂと称することにする。
【００１７】
そして、図示の実施例では、キーガイド１４及び仕切板Ｂ２２が案内部材として選択され、これらの案内部材の相互に対向する面の夫々に、図４に示すように、一対の案内溝２３、２３が形成されている。
【００１８】
各案内溝２３は、図４に示すように、支軸３を挟んで相互に平行になるように配設され、上下方向に延在するように、換言すれば、鍵孔５に挿入される合鍵の厚さ方向に延在するように形成されている。
【００１９】
また、図示の実施例では、各案内溝２３の横断面形状はコ字形であり、更にまた、その一端（図４で下端）は鍵孔５に連通し、他端は外周端縁に開口している。
【００２０】
上記し、また図４に示す案内部材は仕切板Ｂ２２であるが、他方の案内部材であるキーガイド１４においても、同様に一対の案内溝２３、２３が形成されており、その形状や形成の態様も仕切板Ｂ２２におけると同様である。
【００２１】
各案内溝２３には、両端を丸め、鍵孔５側の一端部をくびれさせた（図３参照）探りピン２４がその長さ方向に移動可能に収納されている。
【００２２】
上記くびれ部は、案内溝２３に近接し、かつその一部を案内溝２３中に突出させる態様で（図４参照））制御体に埋設された円板２５と係合し、探りピン２４が鍵孔中に落込むことを防止している。
【００２３】
なお、探りピン２４にくびれ部を設けず、その代わりに案内溝２３の鍵孔との連接部をかしめにより少し狭めれば、同様に探りピン２４の位置の規制を行うことができる。
【００２４】
一方、図２及び図３に示すように、キーガイド１４としきり板Ｂ２２に挟まれた３枚のロータリーディスクタンブラー２、２の上部を覆うようにして、制御体２６が配設されている。
【００２５】
図示の実施例では、制御体２６は薄い蒲鉾状のブロック体であり、その両端に突設された一対の異形（図示の実施例では方形）断面の連結突起２７を案内溝２３中に挿入する態様で、４本の探りピン２４、２４の他端と係合している。
【００２６】
また、図２に示すように、制御体２６は、その上面中央部には形成された有底のばね穴（付番せず）と、このばね穴に開口部を挿入するようにして摺動可能に嵌合するカップ状のばね押え２８との間には、圧縮コイルばねとしての制御ばね２９が弾装されており、この制御ばね２９の弾力により、制御体２６は探りピン２４、２４に近接する方向に付勢されている。
【００２７】
なお、制御体２６との干渉を避けるため、キーガイド１４と仕切板Ｂ２２との間における仕切板１６、１６は上部を切り欠かれており（図示せず）、また、図５に示すように、制御体２６に跨がられている３枚のロータリーディスクタンブラー２、２は、鍵孔に合鍵が挿入されていない常態において、仕切板１６の切り欠き線３１より上部に出ないようにその形状が定められている。
【００２８】
上記のように構成されたこの発明の一実施例によるシリンダ錠のピッキング防止機構は、図３に示すように、各探りピン２４の一端（下端）は鍵孔５中に少し係入した状態でこれに臨んでいる。
【００２９】
通常の施解錠操作では、図６に示すように先端を対称的に丸め、かつ先端に傾斜縁３１（図２参照）を形成した合鍵６を鍵孔に挿入するから、図３に示す左右一対の探りピン２４、２４は、その一端と合鍵先端の傾斜縁３１との間に生じる楔作用により同時に押し上げられる。
【００３０】
したがって、合鍵の挿入の始めに制御体２６が一時的に、かつ前後方向において傾く、という動きはあるが、やがて内方の探りピン２４、２４の組も同様に押し上げられ、以降探りピン２４と合鍵のブレードとが摺接しつつ円滑に挿入ができる。
【００３１】
探りピン２４、２４の移動によって制御体２６が押し上げられると（図示せず）、換言すれば、ロータリーディスクタンブラー２、２と制御体２６との間に隙間ができると、図２で入口の３枚のタンブラーが自由になるから、通常のロータリーディスクタンブラー錠と同様に施解錠操作が円滑に行われる。
【００３２】
一方、ピッキングのため細い工具を鍵孔に挿入してロータリーディスクタンブラー２の前記係合突起７（図１参照）を鍵厚方向に移動させようとすると、入口近くにある探りピン２４を鍵孔から排除する動作が先ず面倒である。
【００３３】
その上、図５から明らかなように、タンブラー２と制御体の係止面３２（図３参照）の接触部が制御体２６の図３における中心から左右にずれるので、制御体２６にモーメントが掛かり、このようなモーメントに対して制御体は移動しないから、タンブラー２はロックされてしまい、ピッキングは原理上不可能となる。
【００３４】
これを別な言い方で再度説明すると、図３から明らかなように、タンブラー２は支軸３の回りを回動可能に支承されているから、タンブラーを回動させたときの上記係止面３２との接触部は支軸の真上ではあり得ず、したがって支軸３に関し対称的に設けられている制御体２６にモーメントが生じるのである。
【００３５】
制御体２６を探りピン２４から離間させてタンブラーをロックさせようとしても、そのためには探りピン２４の一端を案内溝２３の鍵孔５における開口より内方に移動させ、かつその状態を保持させなければならず、そのような操作を４本の探りピンに施すことは不可能である。
【００３６】
なお、この発明は、図示の実施例に限定されず種々に変形して実施することが可能である。例えば、環状のロータリーディスクタンブラー２の代りにＣ字形のレバータンブラーを組込んだ従来の所謂レバータンブラー錠にもこの発明を適用することができる。
【００３７】
また、図示の実施例では制御体２６を制御ばね２９の弾力により探りピン２４方向に付勢するものとしたが、図３に示すようにロータリーディスクタンブラー錠を扉に装着すると、制御体２６は重力により探りピン方向に付勢されるから、制御ばね２９を特に設ける必要はない。
【００３８】
更にまた、図示の実施例では案内部材としてキーガイド１４と仕切板Ｂ２２とを選択するものとしたが、案内部材として仕切板Ｂ２２とテールプラグ１５とを選択してもよく、或いはキーガイド１４とテールプラグ１５とを選択してもよい。
【００３９】
【発明の効果】
以上の説明から明らかなように、この発明は、案内部材の相互に対向する面の夫々に、支軸を挟んで相互に平行に配設され、一端が鍵孔に連通する一対の案内溝を形成し、各案内溝に探りピンを長さ方向に移動可能に収納すると共に、タンブラーの基端部に近接する係止面を有する制御体を、その前端及び後端に突設された一対の連結突起の夫々を案内溝の他端部に挿入するようにして、探りピンに係合させたので、ピッキング時タンブラーがロックされてこれを動かすことができず、したがってピッキングが原理上不可能になる、という所期の効果を奏する。
【図面の簡単な説明】
【図１】ロータリーディスクタンブラー錠の構成を説明するための横断面図。
【図２】この発明によるピッキング防止機構を組込んだロータリーディスクタンブラー錠の縦断面図。
【図３】この発明によるピッキング防止機構の正面図。
【図４】仕切板Ｂの正面図。
【図５】ロータリーディスクタンブラー錠の横断面図。
【図６】合鍵の平面図。
【符号の説明】
１  鍵挿通孔
２  ロータリーディスクタンブラー
３  支軸
４  解錠切欠
５  鍵孔
６  合鍵
７  係合突起
８  バックアップピン
９  窪み
１１  ロッキングバー
１２  外筒
１３  内筒
１４  キーガイド
１５  テールプラグ
２２  仕切板Ｂ
２３  案内溝
２４  探りピン
２６  円板
２７  連結突起
２９  制御ばね
３２  係止面
【図１】
0004210463.tif 000002
【図２】
0004210463.tif 000003
【図３】
0004210463.tif 000004
【図４】
0004210463.tif 000005
【図５】
0004210463.tif 000006
【図６】
0004210463.tif 000007